(57)【要約】  本発明は、ハウジングを備えている薬剤放出装置に関する。ハウジングが、薬剤容器を収容するように配置されており、駆動ユニットが、１回分の薬剤を吐出するために力を薬剤容器に作用させるように動作可能とされ、１回分の薬剤を吐出するための力の条件に従って、駆動ユニットが１つ以上の駆動バネを備えており、且つ、駆動バネの数量が変更可能である。
2021525151.tif 000002
【特許請求の範囲】
【請求項１】
ハウジングを備えている薬剤放出装置であって、前記ハウジングが、薬剤容器を収容するように配置されており、駆動ユニットが、１回分の薬剤を吐出するための力を前記薬剤容器に作用させるように動作可能とされる、前記薬剤放出装置において、
前記駆動ユニットが、１つ以上の駆動バネを備えており、前記駆動バネの数量が、前記１回分の薬剤を吐出するための力の条件に従って変更可能であることを特徴とする薬剤放出装置。
【請求項２】
１つ以上の前記駆動バネが、ゼンマイバネであることを特徴とする請求項１に記載の薬剤放出装置。
【請求項３】
前記駆動ユニットが、回転可能なドライバを備えており、前記駆動バネが、前記ドライバに操作可能に接続されていることを特徴とする請求項１又は２に記載の薬剤放出装置。
【請求項４】
任意の数量の前記駆動バネの一方の端部が、前記ドライバに取り付けられていることを特徴とする請求項２に従属する場合の請求項３に記載の薬剤放出装置。
【請求項５】
前記駆動ユニットが、ドライバに操作可能に接続されているプランジャロッドを備えていることを特徴とする請求項１〜４のいずれか一項に記載の薬剤放出装置。
【請求項６】
前記薬剤放出装置が、前記ドライバと前記プランジャロッドとが回転される場合に１回分の薬剤を吐出するように前記プランジャロッドを駆動するために、前記プランジャロッドのネジ部と協働するネジ付駆動ナットを備えていることを特徴とする請求項５に記載の薬剤放出装置。
【請求項７】
前記薬剤放出装置が、ドライバを解放可能にロックするためのロック機構と、アクチュエータの動作時に前記ドライバを解放するために前記ロック機構に機能的に接続されている前記アクチュエータとを備えていることを特徴とする請求項１〜６のいずれか一項に記載の薬剤放出装置。
【請求項８】
前記ロック機構が、前記ドライバに配設された機械式ストッパと、前記アクチュエータに配設された対応する機械式ストッパとを備えており、
前記アクチュエータが、前記機械式ストッパ同士が係合する第１の位置から、前記機械式ストッパ同士が互いから係合解除されることによって前記ドライバが解放される第２の位置に至るまで移動可能とされることを特徴とする請求項７に記載の薬剤放出装置。
【請求項９】
前記薬剤放出装置が、前記アクチュエータを手動で操作するために、前記アクチュエータに操作可能に接続されているアクチベータを備えていることを特徴とする請求項７に記載の薬剤放出装置。
【請求項１０】
前記アクチベータが、移動可能な薬剤放出部材ガードを備えており、前記薬剤放出部材ガードが、前記薬剤放出装置の近位領域に配置されていることを特徴とする請求項９に記載の薬剤放出装置。
【請求項１１】
前記薬剤放出装置が、前記薬剤放出部材ガードが遠位方向に移動されると回転体が回転するように、前記薬剤放出部材ガードに操作可能に接続されているロック機構を具備する前記回転体を備えており、
用量放出の後に前記薬剤放出装置を取り外す際に前記薬剤放出部材ガードを近位方向に移動させることによって、前記薬剤放出部材ガードが、前記薬剤放出部材ガードが延伸位置においてロックされるように、前記ロック機構と相互作用することを特徴とする請求項１０に記載の薬剤放出装置。
【請求項１２】
前記薬剤放出装置が、前記薬剤放出装置の内部に固定されている前記薬剤容器のための保持要素を備えていることを特徴とする請求項１〜１１のいずれか一項に記載の薬剤放出装置。
【請求項１３】
前記保持要素が、前記ハウジングの一体部分を形成していることを特徴とする請求項１２に記載の薬剤放出装置。
【請求項１４】
前記保持要素が、前記ハウジングの内部に固定された状態で取り付けられている薬剤容器ホルダを備えていることを特徴とする請求項１３に記載の薬剤放出装置。
【発明の詳細な説明】
【技術分野】
【０００１】
本発明は、用量放出に関する様々な力の条件に対応可能とされる薬剤放出装置に関する。
【背景技術】
【０００２】
特に自律的管理のための薬剤放出装置の分野では、薬剤の容量及び粘性の両方に関連して、特定の薬剤容器のみならず幾つかの異なる薬剤容器に対応可能とされる薬剤放出装置について、医薬品産業による提案が時にあった。容量や粘性の相違が、顕著に広範囲な且つ様々な力の条件の要因となる。このことは、薬剤放出装置の駆動バネが最大力の条件を満たす寸法でなくてはならないことを意味する。すなわち、当該条件は、薬剤容器が破損する恐れがある寸法より小さい場合に不必要な大きい力を意味する。
【０００３】
幾つかの初期の薬剤放出装置は、力の条件に対応するように複数のバネを具備するように生産されてきた。例えば特許文献１は、互いに関連して機能する２つのコイルバネを備えている薬剤放出装置を開示している。このような解決手段は、大きい力が必要とされる場合に大きいバネの代替案となるので、当該薬剤放出装置が必要以上に大きくならなくて済む・しかしながら、特許文献１は、様々な薬剤容器の容量や様々な粘性に起因する多様な力の条件について開示していない。従って、同一の薬剤放出装置で所定の範囲に亘る力の条件に対応することができる解決手段についてニーズが存在する。
【０００４】
駆動バネに関する他の実施態様では、大きい力が必要とされる場合に、装置がゼンマイバネを利用する場合がある。特許文献２は、１回分の薬剤が注射針を通じて吐出されるようにゼンマイバネがプランジャロッドを駆動するために利用される一のこのような装置を開示している。注射の侵入を実施するために、別体のバネを具備する容器ドライバが、薬剤容器ホルダを駆動するために利用される。従って、自動的な侵入が実施される。装置は、意図した機能に関して良好に動作するが、自動的に侵入するので、構成部品の数量が多くなり、装置の複雑さが増す。
【先行技術文献】
【特許文献】
【０００５】
【特許文献１】国際公報第９４／２１３１６号パンフレット
【特許文献２】国際公報第２０１２／１７３５５３号パンフレット
【発明の概要】
【発明が解決しようとする課題】
【０００６】
本明細書では、「遠位（distal）」との用語を利用する場合、当該用語は、用量放出位置（dose delivery site）から離隔するように向いている方向を意味する。「遠位部分／遠位端（distal part/end）」との用語を利用する場合、当該用語は、薬剤放出装置の利用の際に用量放出位置から最も離隔して配置されている当該薬剤放出装置の部分／端部、又は当該薬剤放出装置の部材の部分／端部を意味する。対応して、「近位（proximal）」との用語を利用する場合、当該用語は、用量放出位置に向いている方向を意味する。近位部分／近位端（proximal part/end）」との用語を利用する場合、当該用語は、薬剤放出装置の利用の際に用量放出位置に最も近接して配置されている当該薬剤放出装置の部分／端部、又は当該薬剤放出装置の部材の部分／端部を意味する。
【０００７】
本発明の目的は、従来技術に基づく装置の欠点を改善することである。本発明では、当該目的は、独立特許請求項の特徴に基づく薬剤放出装置によって達成される。従属特許請求項の主題が、本発明の好ましい実施例を形成している。
【０００８】
主たる実施態様では、薬剤放出装置は、ハウジングを具備して配置されており、ハウジングが、薬剤容器を収容するように配置されている。ハウジングは、１回分の薬剤を吐出するために力を薬剤容器に作用させるように動作可能とされる駆動ユニットをさらに備えている。一の重要な実施態様では、駆動ユニットが、１回分の薬剤を吐出するための力の条件に従って、１つ以上の任意の数量の駆動バネを備えている。このような解決手段によって、駆動ユニットが１つ以上の駆動バネを備えており、１回分の薬剤を吐出するための、様々な薬剤の異なる容量又は粘性に関連する条件に従って、駆動バネの数量が変更可能であるので、特定の薬剤容器から１回分の薬剤を吐出するための条件に従って、駆動ユニットからの力を“カスタマイズ”することができる。従って、様々な数量の駆動バネを具備する同一の装置を利用して、広範囲に亘る力に対応することができる。
【０００９】
一の実施態様では、１つ以上の駆動バネがゼンマイバネである。このことの利点は、従来技術における圧縮コイルバネと比較して、ゼンマイバネが薬剤放出装置の全体長さに大きく影響を及ぼさないことである。圧縮コイルバネは、薬剤放出装置の長手方向軸線に対して横向きに巻き線を具備して位置決めされ、ゼンマイバネの幅が薬剤放出装置の長さに影響を及ぼすからである。同等な出力について、ゼンマイバネの幅が圧縮バネの長さより小さいので、複数のゼンマイバネであっても、薬剤放出装置の全体長さに実質的に影響を及ぼさない。
【００１０】
駆動ユニットが、回転可能なドライバを備えており、駆動バネが、ドライバに操作可能に接続されている。この場合には、１つ以上の駆動バネの一方の端部がドライバに取り付けられている。さらに、駆動ユニットが、ドライバに操作可能に接続されているプランジャロッドを備えている。
【００１１】
さらに、ネジ付駆動ナットが設けられており、ネジ付駆動ナットは、ドライバとプランジャロッドとが回転される場合に１回分の薬剤を吐出するようにプランジャロッドを駆動するために、プランジャロッドのネジ部と協働する。
【００１２】
また、薬剤放出装置が、ドライバを解放可能にロックするためのロック機構と、アクチュエータの動作時にドライバを解放するためにロック機構に機能的に接続されているアクチュエータとを備えている。より具体的には、ロック機構が、ドライバに配設された機械式ストッパと、アクチュエータに配設された対応する機械式ストッパとを備えており、アクチュエータが、機械式ストッパ同士が係合する第１の位置から、機械式ストッパ同士が互いから係合解除されると共にドライバを解放する第２の位置に至るまで移動可能とされる。
【００１３】
さらなる実施態様では、薬剤放出装置が、アクチュエータを手動で操作するために、アクチュエータに操作可能に接続されているアクチベータを備えており、一の好ましい実施態様では、アクチベータが、移動可能な薬剤放出部材ガードを備えており、薬剤放出部材ガードが、薬剤放出装置の近位領域に配置されている。
【００１４】
薬剤放出装置が、薬剤放出部材ガードを遠位方向に移動させることによって、回転体が回転するように、薬剤放出部材ガードに操作可能に接続されているロック機構を備えており、用量放出の後に薬剤放出装置を取り外す際に薬剤放出部材ガードを近位方向に移動させることによって、薬剤放出部材ガードがロック機構と相互作用し、これにより、薬剤放出部材ガードが延伸位置においてロックされる。
【００１５】
薬剤放出装置が、薬剤放出装置の内部に固定されている薬剤容器のための保持要素を備えている。このような解決手段によって、薬剤放出部材を具備する薬剤容器が薬剤放出装置に固定されるので、薬剤放出部材が自然に又は手動により侵入することが無くなる。この点において、保持要素は、ハウジングの一体部分を形成している。代替的には、保持要素は、ハウジングの内部に固定された状態で取り付けられている薬剤容器ホルダを備えている。
【００１６】
他の実施態様では、薬剤放出装置が、薬剤容器のための保持要素をさらに備えており、保持要素は、薬剤放出装置の内部に配置されており、薬剤放出装置に対して軸線方向に移動可能とされる。このような解決手段によって、自動的な侵入が機能する。この点において、保持要素は侵入ストッパを備えており、ハウジングは対抗ストッパを備えているので、自動的な侵入の距離が決定される。
【００１７】
本発明に関するこれら実施態様及び利点並びに他の実施態様及び利点は、発明の詳細な説明及び添付図面から明らかとなる。
【００１８】
発明の詳細な説明では、添付図面を参照する。
【図面の簡単な説明】
【００１９】
【図１】本発明における薬剤放出装置の分解図である。
【図２】図１に表わす薬剤放出装置の斜視図である。
【図３】図１に表わす薬剤放出装置の、長手方向軸線における断面図である。
【図４】図１に表わす薬剤放出装置の構成部品及び機能についての詳細図である。
【図５】図１に表わす薬剤放出装置の構成部品及び機能についての詳細図である。
【図６】図１に表わす薬剤放出装置の構成部品及び機能についての詳細図である。
【図７】図１に表わす薬剤放出装置の構成部品及び機能についての詳細図である。
【図８】図１に表わす薬剤放出装置の構成部品及び機能についての詳細図である。
【図９】図１に表わす薬剤放出装置の構成部品及び機能についての詳細図である。
【図１０】図１に表わす薬剤放出装置の構成部品及び機能についての詳細図である。
【図１１】図１に表わす薬剤放出装置の構成部品及び機能につての詳細図である。
【図１２】図１に表わす薬剤放出装置の構成部品及び機能についての詳細図である。
【図１３】図１に表わす薬剤放出装置の構成部品及び機能についての詳細図である。
【図１４】図１に表わす薬剤放出装置の構成部品及び機能についての詳細図である。
【発明を実施するための形態】
【００２０】
図示の薬剤放出装置は、略管状の近位ハウジング部分１０を備えている。図１及び図２に表わすように、近位ハウジング部分１０は、幾分小さい直径を有している近位領域１２を具備して配置されており、安全キャップ（図示しない）は、近位ハウジング部分１０に接続されている。近位ハウジング部分１０の近位端は、中央通路１４を具備して配置されている。図１及び図３に表わすように、近位ハウジング部分１０の側面それぞれが、開口部又は窓１６を具備して配置されており、薬剤容器１８は、開口部又は窓１６を通じて視認される。薬剤容器１８は、例えば薬剤容器ホルダ２０のような適切な保持要素に配置されている。図３に表わすように、薬剤容器ホルダ２０は、近位ハウジング部分１０の内側に配置されており、且つ、近位ハウジング部分１０の内側に固定された状態で支持されている。しかしながら、保持要素は、ハウジングの一体化部分を又は薬剤放出装置の内側に固定された任意の他の構成部品を形成している場合があることに留意すべきである。図示の実施例では、薬剤容器１８は、図１に表わす注射針２４の形態をした薬剤放出部材を覆っている高剛性な針シールド（rigid needle shield）すなわちＲＮＳ２２を有している注射器とされる。薬剤容器１８の管状本体は、可動式ストッパ２６を具備して配置されている。薬剤容器１８の遠位端は、薬剤容器ホルダ２０の遠位シート３０に載置された、径方向に延在しているフランジ２８を具備して配置されている。
【００２１】
図２に表わすように、近位ハウジング部分１０の中央通路１４では、薬剤放出部材ガード３２が、可動又は滑動可能に配置されており、近位ハウジング部分１０の近位端から突出している。薬剤放出部材ガード３２は、中央通路３６を有している管状本体３４をさらに備えている。中央通路３６は、径方向外方に延在しているフランジ３８又は段差部によって囲まれており、フランジ３８は、薬剤放出部材ガード３２のための近位に向けられた接触面を形成している。さらに、２つの遠位に向けられたアーム４０は、管状本体３４の遠位端面に取り付けられている。アーム４０は、内方に向けられた突起４２を具備して配置されているが、突起４２の機能については、後述する。図１に表わすように、薬剤放出部材ガード３２は、薬剤放出部材ガード３２の遠位面と近位ハウジング部分１０の近位面との間で作用する薬剤放出部材ガードバネ４３によって、近位方向に付勢されている。
【００２２】
図２に表わすように、遠位ハウジング部分４４は、近位ハウジング部分１０に取り付けられている。この点に関して、遠位ハウジング部分４４の近位端は、近位ハウジング部分１０の遠位領域に適合する直径を有しているセクション４６を具備して配置されている。さらに、図１に表わすように、遠位ハウジング部分４４は、駆動ユニット又は電源函４８を具備して配置されている。駆動ユニット４８は、細長い管状ドライバ５０を備えている。図１及び図３に表わすように、管状ドライバ５０の外面は、複数のゼンマイバネ５２（clock spring）の内側端部を保持することができる取付要素を具備して配置されている。ゼンマイバネ５２の外側端部が、薬剤放出装置の固定点に、例えば遠位ハウジング部分４４の内面に設けられた取付要素に取り付けられている。プランジャロッド５４が、管状ドライバ５０の内側に配置されている。管状ドライバ５０の内面とクランジャーロッド５４の外面とが、案内要素を具備して配置されており、これによりプランジャロッド５４は、滑動可能とされるが、管状ドライバ５０に対して回転可能にロックされている。さらに、図３に表わすように、プランジャロッド５４の外面は、ネジ部５６を具備して配置されており、ネジ部５６は、静止ハウジングの要素又は一部分に固定された状態で取り付けられている駆動ナット６０のネジ部５８と協働するようになっている。図示の典型的な実施例では、駆動ナット６０は、図４に表わすように径方向に延在している突起５７を備えており、突起５７は、近位ハウジング部分１０の、図１に表わす凹所又は切り欠き５９と係合するようになっている。さらに、図４に表わすように、駆動ナット６０は、近位に向けられた弾性支持要素６１を具備して配置されており、弾性支持要素６１は、長手方向における薬剤容器１８の移動量を減少又は最小化するために薬剤容器１８の遠位端に弾性的に作用している。また、弾性支持要素６１は、様々な薬剤容器の異なる長さを補償することができるので、様々なタイプの薬剤容器との互換性を有している。
【００２３】
さらに、管状ドライバ５０は、外方に向けられた突起又は段差部６２を管状ドライバ５０の近位領域に具備して配置されている。図３に表わすように、突起６２は、略管状のアクチュエータ６６の内面に設けられた、長手方向に延在している段差部６４と相互作用するようになっている。従って、図３及び図４に表わすように、アクチュエータ６６は、略管状のシート６８によって長手方向に案内される。シート６８は、電源函のバネの最近位部分に当接している、外方に向けられたフランジ７０を具備して配置されている。さらに、図８に表わすように、フランジ７０は、フランジ７０の近位面に配設された、周方向に延在している溝７２を具備して配置されている。アクチュエータバネ７４は、アクチュエータ６６を近位方向に付勢するように、シート６８のフランジ７０の溝７２とアクチュエータ６６の遠位に向けられた表面７６との間に設けられている。
【００２４】
図４及び図５に表わすように、外方に向けられたフランジ７９を有している略管状の回転体７８が、アクチュエータ６６の近位に配設されており、フランジ７９は、アクチュエータ６６の近位端面と接触している。回転体７８は、薬剤放出装置に対して回転可能に配置されており、軸線方向において薬剤放出装置に対してロックされている。図６に表わすように、回転体７８は、回転体７８の内面に配設された横方向段差部８０によって軸線方向においてロックされており、横方向段差部８０は、駆動ナット６０の外面に設けられた横方向段差部又はＬ字状段差部８２と協働している。図４に表わすように、回転体７８は、回転体７８の外面に傾斜段差部８４を備えており、傾斜段差部８４は、薬剤放出部材ガード３２の、内方に向けられた突起４２と相互作用するようになっている。さらに、回転体７８は、長手方向に延在している段差部８６を具備して配置されている。図５及び図６に表わすように、略径方向において可撓性を有している略楔状の舌部８８が、長手方向段差部８６に隣接して配置されている。
【００２５】
最後に、図１及び図３に表わすように、遠位ハウジング部分４４の遠位端は、端部蓋９０等を具備して配置されている。端部蓋９０は、透明な材料から作られており、ドライバの遠位端は、薬剤放出装置が動作している場合に利用者に示すことができる可視的インジケータを具備して配置されている。
【００２６】
薬剤放出装置の機能については、以下の通りである。薬剤容器の内部に格納された薬剤の仕様と薬剤容器の容量とに従って、薬剤放出装置には、様々な力の条件が課せられる。従って、図示の薬剤放出装置は、一種の力調節システム（modular force system）を具備して配置されている。図３に表わすように、同一の薬剤放出装置の内部で利用されるゼンマイバネ５２の数量は、１つ〜４つの範囲で変更可能とされる。従って、薬剤放出装置は、ゼンマイバネ５２の数量を変更することによって、広範囲に亘る力の条件に対応することができる。４つのより少ないゼンマイバネが利用される場合には、利用されていない空間は、アダプタによって占有されるか又は潰されるので、利用されるゼンマイバネが、確実にハウジングの内部で移動することも遊動（rattle）することもできなくなる。
【００２７】
薬剤放出装置は、事前に選択された数量のゼンマイバネ５２と事前に選択された薬剤容器１８とによって、利用者に最も放出し易くなっている。好ましくは、ゼンマイバネ５２にはプリテンションが作用しているので、薬剤放出装置は常に利用可能な状態にある。図１０及び図１１に表わすように、管状ドライバ５０の突起６２は、アクチュエータ６６の長手方向段差部６４の側面と接触しているので、ゼンマイバネ５２が、プリテンション状態で保持されており、これにより、管状ドライバ５０ひいてはプランジャロッド５４の回転が防止される。
【００２８】
利用者は、薬剤放出装置の近位端を用量放出位置に対して押圧する。これにより、薬剤放出部材ガード３２が、ハウジングの近位端から突出し、近位ハウジング部分１０の内部に移動する。その後に、薬剤放出部材ガード３２の遠位アーム４０は、薬剤放出装置の残り部分に対して遠位に移動する。これにより、図５に表わすように、アーム４０の内方に向けられた突起４２が、回転体７８の傾斜段差部８４と接触するので、回転体７８は、長手方向で見ると突起４２が回転体７８の楔状の舌部８８と位置合わせされるように、所定角度回転する。薬剤容器ホルダは、薬剤容器と共にハウジングの内部に固定され不動とされるので、手動によって薬剤放出部材を用量放出位置に侵入又は挿入させることができる。
【００２９】
図７及び図８に表わすように、薬剤放出部材ガード３２のアーム４０の遠位端が、アクチュエータ６６の近位に向けられた表面と接触しつつあるので、アクチュエータ６６は、アクチュエータバネ７４の力に抗して遠位方向に移動される。図９、図１２，及び図１３に表わすように、アクチュエータ６６の移動によって、長手方向段差部６４は、管状ドライバ５０の突起６２から係合解除されるように移動するので、長手方向段差部６４は解放される。管状ドライバ５０とプランジャロッド５４との間における回転がロックされていることに起因して、１つ以上のゼンマイバネ５２からの力によって、管状ドライバ５０ひいてはプランジャロッド５４が回転される。プランジャロッド５４のネジ部５６が回転可能に固定された駆動ナット６０のネジ部５８と相互作用することに起因して、プランジャロッド５４の回転によって、プランジャロッド５４自体が近位方向に移動される。近位方向におけるプランジャロッド５４の移動によって、プランジャロッド５４は、プランジャロッド５４を近位方向に移動させるように且つ薬剤放出部材２４を通じて１回分の薬剤を用量放出位置にて吐出するように、薬剤容器１８のストッパ２６に作用する。
【００３０】
用量放出シーケンスが終了すると、薬剤放出装置が、用量放出位置から取り外される。薬剤放出部材ガード３２は、薬剤放出部材ガードバネ４３によって、薬剤放出部材ガード３２の初期位置に向かって近位方向に付勢される。図１４に表わすように、薬剤放出部材ガード３２の移動によって、薬剤放出部材ガード３２の突起４２が近位方向に移動されるので、突起４２は回転体７８の楔状の舌部８８を通過する。これにより、薬剤放出部材ガード３２が延伸位置においてロックされ、薬剤放出部材２４を覆い、使用済みの薬剤放出部材２４に起因する不慮の負傷が防止される。薬剤放出装置は安全に廃棄可能とされる。
【符号の説明】
【００３１】
１０  近位ハウジング部分
１２  近位領域
１４  中央通路
１６  開口部（窓）
１８  薬剤容器
２０  薬剤容器ホルダ
２２  ＲＮＳ（高剛性な針シールド）
２４  注射針
２６  可動式ストッパ
２８  フランジ
３０  （薬剤容器ホルダ２０の）遠位シート
３２  薬剤放出部材ガード
３４  管状本体
３６  中央通路
３８  フランジ
４０  アーム
４２  突起
４３  薬剤放出部材ガードバネ
４４  遠位ハウジング部分
４６  セクション
４８  駆動ユニット（電源函）
５０  管状ドライバ
５２  ゼンマイバネ
５４  プランジャロッド
５６  （プランジャロッド５４の）ネジ部
５７  突起
５８  （駆動ナット６０の）ネジ部
６０  駆動ナット
６１  弾性支持要素
６２  突起
６４  段差部
６６  アクチュエータ
６８  シート
７０  フランジ
７２  溝
７４  アクチュエータバネ
７６  （アクチュエータ６６の）表面
７８  回転体
８０  横方向段差部
８２  横方向段差部（Ｌ字状段差部）
８４  傾斜段差部
８６  長手方向段差部
８８  舌部
９０  端部蓋
【図１】
2021525151.tif 000003
【図２】
2021525151.tif 000004
【図３】
2021525151.tif 000005
【図４】
2021525151.tif 000006
【図５】
2021525151.tif 000007
【図６】
2021525151.tif 000008
【図７】
2021525151.tif 000009
【図８】
2021525151.tif 000010
【図９】
2021525151.tif 000011
【図１０】
2021525151.tif 000012
【図１１】
2021525151.tif 000013
【図１２】
2021525151.tif 000014
【図１３】
2021525151.tif 000015
【図１４】
2021525151.tif 000016
【国際調査報告】
2021525151.tif 000017
2021525151.tif 000018
2021525151.tif 000019